(57)【要約】      （修正有）【課題】歯間に簡単かつ確実に挿し込むことができ、かつ、より小さな力でヤスリを動かすことが可能となる歯間研削用のヤスリ及びそれを備える歯間研削装置を提供する。【解決手段】歯間に所要のスペースを形成するための歯間研削用のヤスリ１であって、基材２の表裏面２Ａ，２Ｂに、研削用の硬質微粒子を付着させた研削面３と、硬質微粒子を付着させていない非研削面５１〜５９とが設けられており、非研削面として、基材の長手方向の略中央において幅方向に貫通する縦長の帯状に形成された非研削面５１を有する中央スリット部６と、中央スリット部６の両側（左右両側）それぞれに一本又は複数本ずつが形成された非研削面を有する左スリット部７及び右スリット部８とを備える。【選択図】図１
2020099549.tif 000002
【特許請求の範囲】
【請求項１】
歯間に所要のスペースを形成するための歯間研削用のヤスリであって、
前記ヤスリは、平板状の帯状に形成された基材の表裏面に、研削用の硬質微粒子を付着させた研削面と、前記硬質微粒子を付着させていない非研削面とが設けられており、
前記非研削面として、前記基材の長手方向の略中央において幅方向に貫通する縦長の帯状に形成された非研削面を有する中央スリット部を備える
ことを特徴とする歯間研削用のヤスリ。
【請求項２】
前記非研削面として、さらに、長手方向における前記中央スリット部の側部に一本又は複数本が形成された非研削面を有する側部スリット部を備える
ことを特徴とする請求項１に記載の歯間研削用のヤスリ。
【請求項３】
前記側部スリット部が備える複数本の非研削面は、前記基材の長手方向に沿って中央から外側に行くにつれて次第にその湾曲度（曲率）が小さくなる湾曲線状であり、かつ、前記基材の長手方向に沿って中央から外側に行くにつれてそれらの幅寸法が次第に小さくなっている
ことを特徴とする請求項２に記載の歯間研削用のヤスリ。
【請求項４】
前記側部スリット部が備える複数本の非研削面それぞれの間の前記研磨面は、前記基材の長手方向に沿って中央から外側に行くにつれてそれらの幅寸法が次第に大きくなっている
ことを特徴とする請求項２又は３に記載の歯間研削用のヤスリ。
【請求項５】
請求項１乃至４のいずれか１項に記載の歯間研削用のヤスリを備える歯間研削装置であって、
少なくとも振動発生器と、該振動発生器からの駆動信号を受信して振動する振動子と、該振動子に連結されたホルダを内蔵したハンドピースと、
前記ホルダに着脱可能に取り付けられて前記ヤスリが保持された研削チップと、
前記振動発生器に電力を供給する電源装置と、
を含んで構成されることを特徴とする歯間研削装置。
【発明の詳細な説明】
【技術分野】
【０００１】
本発明は、歯間に挿し込んで移動させることによって隣接する歯の間に所要のスペース（隙間）を形成する歯間研削用のヤスリ（ストリップス）、及び当該ヤスリを備える歯間研削装置に関する。
【背景技術】
【０００２】
従来、歯並びなどを矯正する矯正治療においては、隣接する２つの歯の間に目的に合ったスペース（隙間）を形成するためのIPR (Interproximal Enamel Reduction) と呼ばれるスペースメイキングが行われている。このスペースメイキングは、従来、例えば特許文献１に示すように、細長い薄板状のヤスリ（ストリップス）を歯間に挿し込んでこれを前後に小刻みに動かすことによって行われている。
【０００３】
ここで、歯間研削用のヤスリは、ポリエステルなどの合成樹脂製の箔やステンレスなど金属製の箔などからなる帯状のシート材である基材の表裏面にアルミナやダイヤモンドなどの硬質微粒子（砥粒）を付着させた研削面が形成されたものである。そして、従来の歯間研削用のヤスリは、基材の表裏面の全体に研削面が形成されていた。そのため、ヤスリを歯間に挿し込む作業が行い難いという問題があった。特に、複数の歯間にスペースメイキングを施す場合、各歯間に対してヤスリを挿し込む作業が行い難いことで、治療の効率が低下するという問題があった。また、基材の表裏面の全体に研削面が形成されていることで、歯間に挿入したヤスリを動かして歯の研磨を行う際の抵抗が大きく、それによる作業負担が大きいという問題もあった。すなわち、歯間にヤスリを挿し込んだ直後には、まだ両側の歯が削られていないために十分なスペースが無く、ヤスリを小刻みに動かすには非常に大きな力が必要となっていた。さらに、ヤスリで歯間を削ると歯の削りカスが出るが、基材の表裏面の全体に研削面が形成されていると、削りカスが歯間からスムーズに排出されないため、それによってもヤスリを動かすために必要な力が大きくなってしまう、という問題があった。
【先行技術文献】
【特許文献】
【０００４】
【特許文献１】特開２０１６−１６１７２号公報
【発明の概要】
【発明が解決しようとする課題】
【０００５】
本発明は上記問題に鑑みてなされたもので、その目的は、歯間に簡単かつ確実に挿し込むことができ、かつ、より小さな力でヤスリを動かすことが可能となることで、歯間に所要のスペースを効率良く短時間で形成することができる歯間研削用のヤスリ及びそれを備える歯間研削装置を提供することにある。
【課題を解決するための手段】
【０００６】
上記目的を達成するため、本発明にかかる歯間研削用のヤスリは、歯（Ｔ）間に所要のスペース（δ）を形成するための歯間研削用のヤスリ（１）であって、前記ヤスリ（１）は、平板状の帯状に形成された基材（２）の表裏面（２Ａ，２Ｂ）に、研削用の硬質微粒子を付着させた研削面（３）と、前記硬質微粒子を付着させていない非研削面（５（５１〜５９））とが設けられており、前記非研削面として、前記基材（２）の長手方向の略中央において幅方向に貫通する縦長の帯状に形成された非研削面（５１）を有する中央スリット部（６）を備えることを特徴とする。
【０００７】
本発明にかかる歯間研削用のヤスリによれば、研削用の硬質微粒子を付着させていない非研削面として、前記基材の長手方向の略中央において幅方向に貫通する縦長の帯状に形成された非研削面を有する中央スリット部を備えることで、この中央スリット部の部分を隣接する２つの歯の間に挿し込むようにすれば、ヤスリを簡単かつ確実に研削対象の歯間に挿し込むことができる。したがって、２つの歯の間に所望のスペースを効率良く短時間で形成することができ、歯科治療の際の作業負担を効果的に軽減することができる。
【０００８】
また、この歯間研削用のヤスリでは、前記非研削面（５（５１〜５９））として、前記中央スリット部（６）に加えて、さらに、長手方向における前記中央スリット部（６）の側部（左側又は右側）に一本又は複数本が形成された非研削面（５２〜５５，５６〜５９）を有する側部スリット部（左スリット部又は右スリット部）（７又は８）を備えていてよい。
【０００９】
この構成によれば、側部スリット部（左スリット部又は右スリット部）が設けられていることで、ヤスリの研削面で歯を研削する際の抵抗が低減されると共に、研削された歯から出た削りカスが歯とヤスリの間に挟まらずにスムーズに排出されるようになる。
【００１０】
また、この歯間研削用のヤスリでは、前記側部スリット部（７又は８）が備える複数本の非研削面（５２〜５５，５６〜５９）は、前記基材（２）の長手方向に沿って中央から外側に行くにつれて次第にその湾曲度（曲率）が小さくなる湾曲線状であり、かつ、前記基材（２）の長手方向に沿って中央から外側に行くにつれてそれらの幅寸法（Ｗ５２〜Ｗ５５，Ｗ５６〜Ｗ５９）が次第に小さくなっていてよい。
【００１１】
この構成によれば、側部スリット部を構成する複数本の非研削面は、中央から外側に行くにつれて次第に湾曲度（曲率）が小さくなり、かつ、それらの幅寸法が次第に小さくなっていることで、中央（中央スリット部）に近いほどヤスリを動かす際の抵抗が小さくて済む。したがって、ヤスリを動かし始める際（歯間の隙間がまだ小さい状態）の抵抗を効果的に低減できる。これにより、歯間を研削する際にヤスリを動かす力の均一化（開始から終了までの間での均一化）を図ることができる。
【００１２】
また、この歯間研削用のヤスリでは、前記側部スリット部（７又は８）が備える複数本の非研削面（５２〜５５，５６〜５９）それぞれの間の前記研磨面（３）は、前記基材（２）の長手方向に沿って中央から外側に行くにつれてその幅寸法（Ｌ１〜Ｌ５）が次第に大きくなっていてもよい。
【００１３】
この構成によれば、研磨面は、中央から外側に行くにつれてその幅寸法が次第に大きくなっていることで、この構成によっても、中央（中央スリット部）に近いほどヤスリを動かす際の抵抗が小さくて済む。したがって、ヤスリを動かし始める際（歯間の隙間がまだ小さい状態）の抵抗を効果的に低減できる。これにより、歯間を研削する際にヤスリを動かす力の均一化（開始から終了までの間での均一化）を図ることができる。
【００１４】
また、本発明は、上記いずれかの構成を有する歯間研削用のヤスリ（１〜１−４）を備える歯間研削装置（１００）であって、少なくとも振動発生器（１０６）と、該振動発生器（１０６）からの駆動信号を受信して振動する振動子（１０７）と、該振動子（１０７）に連結されたホルダ（１０８）を内蔵したハンドピース（１０２）と、前記ホルダ（１０８）に着脱可能に取り付けられて前記ヤスリ（１〜１−４）が保持された研削チップ（１１０）と、前記振動発生器（１０６）に電力を供給する電源装置（１０４）と、を含んで構成されることを特徴とする。
【００１５】
上記のような振動発生器でヤスリに振動を付与するタイプの歯間研削装置においても、本発明のヤスリを備えることで、ヤスリを簡単かつ確実に研削対象の歯間に挿し込むことができ、また歯間を研削する際にヤスリをスムーズに動かすことができる。したがって、２つの歯の間に所望のスペースを効率良く短時間で形成することができ、歯科治療の際の作業負担を効果的に軽減することができる。
【発明の効果】
【００１６】
本発明にかかる歯間研削用のヤスリ及びそれを備えた歯間研削装置によれば、ヤスリを簡単かつ確実に歯間に挿し込むことができ、また歯間を研削する際にヤスリをスムーズに動かすことができるので、隣接する歯間に所要のスペースを効率良く短時間で形成することができ、患者と治療者の肉体的負担を軽減することができる。
【図面の簡単な説明】
【００１７】
【図１】本発明の一実施形態にかかる歯間研削用のヤスリを示す図で、（ａ）は、正面図、（ｂ）は、（ａ）のＡ−Ａ断面図である。
【図２】歯間研削用のヤスリの他の例を示す図である。
【図３】歯間研削用のヤスリの他の例を示す図である。
【図４】歯間研削用のヤスリの他の例を示す図である。
【図５】（ａ）は、スペースメイキング前の歯列を示す部分正面図、（ｂ）は、スペースメイキング後の歯列を示す部分正面図である。
【図６】本発明の一実施形態にかかる歯間研削装置の全体構成図である。
【図７】図６のＢ−Ｂ線断面図である。
【発明を実施するための形態】
【００１８】
以下に本発明の実施の形態を添付図面に基づいて説明する。
〔第一実施形態：歯間研削用のヤスリ〕
図１は、本発明の一実施形態にかかる歯間研削用のヤスリを示す図で、（ａ）は、正面図、（ｂ）は、（ａ）のＡ−Ａ断面図である。図１に示すヤスリ１は、歯科治療において患者の隣接する２本の歯間を削ることで、当該歯間に矯正に必要なスペース（隙間）を形成するための歯間研削用のヤスリであって、ポリエステルなどの合成樹脂製の箔やステンレスなど金属製の箔などからなるシート材（薄板材）である基材２の表裏面２Ａ，２Ｂにアルミナやダイヤモンドなどの硬質微粒子（砥粒）を付着させた研削面３が形成されている。基材２は、その外径が細長い帯状に形成されている。基材２の表裏面２Ａ，２Ｂには、硬質微粒子（砥粒）を付着させた研削面３の部分と、硬質微粒子（砥粒）を付着させていない非研削面５（５１〜５９）の部分とが設けられている。なお、図１（ａ）では、ヤスリ１における基材２の表裏面２Ａ，２Ｂの一方（表面２Ａ）のみが示されているが、ヤスリ１は、表面２Ａ及び裏面２Ｂが同形状（対照）に形成されている。したがって、以下の説明では表面２Ａについてのみ述べるが、裏面２Ｂについても同様である。
【００１９】
図１に示すヤスリ１（基材２）の表面２Ａには、長手方向の略中央において幅方向に貫通する縦長の帯状に形成された非研削面である中央スリット部６と、長手方向における該中央スリット部６の両側（左右両側）それぞれに複数本ずつが形成された非研削面を有する左スリット部（側部スリット部）７及び右スリット部（側部スリット部）８とが設けられている。ヤスリ１（基材２）の表面２Ａにおける中央スリット部６と左右スリット部７，８を除いた部分は、硬質微粒子（砥粒）を付着させた研削面３となっている。
【００２０】
中央スリット部６を構成する非研削面５１は、その左右の端辺が湾曲する湾曲線状になっており、上下方向の中央が括れて上下端（基材２の長手方向に対する幅方向の両側）が拡大した括れ形状となっている。また、左スリット部７と右スリット部８は、ヤスリ１の長手方向で互いに対称な形状であり、ヤスリ１の幅方向に貫通する湾曲線状の複数本のスリット状の非研削面５２〜５５と非研削面５６〜５９をそれぞれ有している。複数本の非研削面５２〜５５，５６〜５９は、中央から外側（左右）に行くにつれて次第にその湾曲度（曲率）が小さくなり、かつ、それらの幅寸法Ｗ５２〜Ｗ５５，Ｗ５６〜Ｗ５９が次第に小さくなっている。（Ｗ５２＞Ｗ５３＞Ｗ５４＞Ｗ５５，Ｗ５６＞Ｗ５７＞Ｗ５８＞Ｗ５９）また、左スリット部７と右スリット部８を構成する複数本の非研削面５２〜５５，５６〜５９の間に形成された研削面３の幅（ヤスリ１の長手方向の幅）Ｌ１〜Ｌ５は、ヤスリ１の長手方向における中央（中央スリット部６の部分）から左右（外側）に行くにつれて次第に大きな寸法となっている。（Ｌ１＜Ｌ２＜Ｌ３＜Ｌ４＜Ｌ５）
【００２１】
図１に示すヤスリ１は、手（指）で持って歯間に挿し込んで動かすことで歯間の研削を行うために用いられる。すなわち、ヤスリ１の長手方向の両側を手で持って左右に軽く引っ張ることで、中間部分をピンと張る。その状態で中央スリット部６を研削対象の歯間に挿し込むことでヤスリ１を当該歯間にセットする。このとき、中央スリット部６は硬質微粒子（砥粒）を付着させていない非研削面であることで、ヤスリ１が歯間に引っ掛かることなくスムーズに挿し込まれるようになる。
【００２２】
その後、ヤスリ１を長手方向の左右いずれかに動かすことで、歯間がヤスリ１の中央スリット部６から長手方向の左側又は右側に向かって移動する。これにより、ヤスリ１（基材２）の表面２Ａに形成された研削面３で両側の歯の研削が行われる。この際、左スリット部７又は右スリット部８が設けられていることで、研削面３で歯を研削する際の抵抗が低減されると共に、研削された歯から出た削りカスが歯とヤスリ１の間に挟まらずにスムーズに排出されるようになる。さらに、左スリット部７又は右スリット部８を構成する複数本の非研削面５２〜５５，５６〜５９は、中央から外側（左右）に行くにつれて次第に湾曲度（曲率）が小さくなり、かつ、その幅寸法Ｗ５２〜Ｗ５５，Ｗ５６〜Ｗ５９が次第に小さくなっていることで、中央（中央スリット部６）に近いほどヤスリ１を動かす際の抵抗が小さくて済む。したがって、ヤスリ１を動かし始める際（歯間の隙間がまだ小さい状態）の抵抗を効果的に低減できる。これにより、歯間を研削する際にヤスリ１を動かす力の均一化（開始から終了までの間での均一化）を図ることができる。
【００２３】
図２は、歯間研削用のヤスリの他の例を示す正面図である。同図に示すヤスリ１−２は、基材２の長手方向の中央で幅方向に貫通する直線状の中央スリット部６と、中央スリット部６の左右両側（ヤスリ１の長手方向の両側）それぞれに一本ずつの非研削面６２、６３が形成された左スリット部７及び右スリット部８とを備えている。左スリット部７の非研削面６２及び右スリット部８の非研削面６３もヤスリ１−２の幅方向（図の上下方向）に貫通する直線状であり、それらの幅寸法（図の左右方向の寸法）Ｗ６２，Ｗ６３は、中央スリット部６の非研削面６１の幅寸法Ｗ６１よりも小さな寸法となっている（Ｗ６２＜Ｗ６１，Ｗ６３＜Ｗ６１）。なお、この場合もヤスリ１−２（基材２）の表面２Ａにおける中央スリット部６及び左右スリット部７，８以外の部分は、硬質微粒子を付着させた研削面３となっている。
【００２４】
図３は、歯間研削用のヤスリのさらに他の例を示す正面図である。同図に示すヤスリ１−３は、帯状の基材２の長手方向の中央で幅方向に貫通する直線帯状の非研削面６１からなる中央スリット部６のみを備えている。
【００２５】
図４は、歯間研削用のヤスリのさらに他の例を示す正面図である。同図に示すヤスリ１−４は、帯状の基材２の長手方向の中央で幅方向に貫通する直線帯状の非研削面６１からなる中央スリット部６のみを備えている。そして、中央スリット部６の非研削面６１は、その一方の端部（ヤスリ１−４の幅方向の一方（図の下方）の端部）の幅寸法が他の部分の幅寸法よりも大きな拡幅部６１ａとなっている。
【００２６】
図４に示すヤスリ１−４は、中央スリット部６の非研削面６１を研削対象の歯間に挿し込む際に、非研削面６１の拡幅部（図の下側の部分）６１ａから歯間に挿し込むようにする。これにより、非研削面６１の挿込部分の幅が広いことで、ヤスリ１−４を歯間に挿し込む作業がより行い易くなる。
【００２７】
図５（ａ）は、スペースメイキング前の歯列を示す部分正面図、（ｂ）は、スペースメイキング後の歯列を示す部分正面図である。上記構成のヤスリ１（１−２〜１−４）を用いて歯間Ｔの研削を行うことで、研削前は図５（ａ）に示すように互いに接触した状態で整然と並んでいた歯Ｔの間には、図５（ｂ）に示すように、所望の大きさのスペース（隙間）δが効率良く短時間で形成される。
【００２８】
〔第二実施形態：歯間研削装置〕
図６は、本発明の一実施形態に係る歯間研削装置の全体構成図、図７は、図６のＡ−Ａ線断面図である。図示の歯間研削装置１００は、ハンドピース１０２と、該ハンドピース１０２の先端に着脱可能に取り付けられた研削チップ１１０と、ハンドピース１０２に電力を供給する電源装置１０４とを含んで構成されている。
【００２９】
ハンドピース１０２は、略円筒状の把持部１０２Ａと、該把持部１０２Ａの先端から略直角に屈曲する略円筒状の先端部１０２Ｂとで構成されており、図６に示すように、把持部１０２Ａの内部には振動発生器１０６が収容されている。また、先端部１０２Ｂの内部には、図７に示すように、振動発生器１０６からの駆動信号を受信して振動する振動子１０７と、該振動子１０７に連結されたホルダ１０８が収容されている。振動発生器１０６で発生する振動は、音波振動、超音波振動など各種の振動数（周波数）とすることができる。
【００３０】
ここで、振動発生器１０６は、例えば、不図示の回路基板に実装された不図示のトランジスタ、コンデンサ、チョークコイルなどによって構成されている。また、振動子１０７は、例えば、圧電素子や磁歪素子などによって構成されている。
【００３１】
また、研削チップ１１０は、図７に示すように、コの字状に屈曲する支持部（柄）１１１と、該支持部１１１にその両端が支持された研削工具としてのヤスリ１（１−２〜１−４）とで構成されている。ここで、ヤスリ１（１−２〜１−４）は、図１〜図４のいずれかに示す構成のものでよく、ヤスリ１（１−２〜１−４）の表面（表裏面）２Ａ，２Ｂの形状（研削面３と非研削面５のパターン形状）は、図１〜図４に示すものであってよい。
【００３２】
上記のように構成されたヤスリ１（１−２〜１−４）を保持する研削チップ１１０は、ハンドビース１０２に内蔵されたホルダ１０８（図７参照）に着脱可能に取り付けて使用される。
【００３３】
図６に示す電源装置１０４は、例えば、商用電源（ＡＣ１００、５０／６０Ｈｚ）からの電力を例えばＤＣ１２Ｖ程度の安全な電圧に変換するとともに、整流して電源コード１０９によってハンドピース１０２内の振動発生器１０６に供給する機能を果たすものである。そして、この電源装置１０４には、電源スイッチ１０４ａとペダルスイッチ１０４ｂが設けられており、電源スイッチ１０４ａを投入（ＯＮ）した状態でペダルスイッチ１０４ｂを足で踏むと、電源装置１０４からハンドピース１０２内の振動発生器１０６に電力が供給される。すると、振動発生器１０６から振動子１０７に駆動信号が発信されて該振動子１０７が振動する。当該振動は音波振動、超音波振動などであってよい。
【００３４】
本発明は、以上説明した実施の形態に適用が限定されるものではなく、特許請求の範囲および明細書と図面に記載された技術的思想の範囲内で種々の変形が可能である。例えば、上記実施形態に示すヤスリ１では、基材２の長手方向の略中央に設けた中央スリット部６に加えて、側部スリット部として、基材２の長手方向における中央スリット部６の両側（左右両側）それぞれに設けた左スリット部７及び右スリット部８を備える場合を示したが、これ以外にも、左スリット部７と右スリット部８のいずれか一方のみを備えた構成とすることも可能である。また、図示は省略するが、中央スリット部６に代えて、ヤスリ１の長手方向の端部（左端又は右端）に幅方向に貫通する縦長の帯状に形成された非研削面を設け、この非研削面の部分を歯間に挿し込むように構成してもよい。
【符号の説明】
【００３５】
１（１−２〜１−４）    ヤスリ
２        基材
３        研削面
５（５１〜５９）        非研削面
６        中央スリット部
７        左スリット部（側部スリット部）
８        右スリット部（側部スリット部）
１００    歯間研削装置
１０２    ハンドピース
１０２Ａ  把持部
１０２Ｂ  先端部
１１０    研削チップ
１１１    支持部（柄）
１０４    電源装置
１０４ａ  電源スイッチ
１０４ｂ  ペダルスイッチ
１０６    振動発生器
１０７    振動子
１０８    ホルダ
１０９    電源コード
Ｔ        歯（歯牙）
δ        スペース（隙間）
【図１】
2020099549.tif 000003
【図２】
2020099549.tif 000004
【図３】
2020099549.tif 000005
【図４】
2020099549.tif 000006
【図５】
2020099549.tif 000007
【図６】
2020099549.tif 000008
【図７】
2020099549.tif 000009